(57)【要約】【課題】  容易にかつ確実にユーザの意図しないアドレスの二重登録を防止し得るアドレス記憶装置を提案する。【解決手段】  ユーザに指定されたアドレス（ＵＲＬ）が既にブックマークとして登録済である場合、このことをユーザに通知するようにしたことにより、当該ＵＲＬが既に登録済みであるか否かを煩雑な確認作業を行わせることなくユーザに認識させることができ、かくしてユーザの意図しないＵＲＬの二重登録を容易にかつ確実に防止することができる。【選択図】          図９
2005173978.tif 000002
【特許請求の範囲】
【請求項１】
ネットワークにおけるページ情報の格納場所を示すアドレスを記憶しておくための記憶手段と、
上記アドレスが入力されると、上記記憶手段に当該入力されたアドレスが記憶済であるか否かを検出する検出手段と、
上記検出手段による検出結果に応じて、上記入力されたアドレスが上記記憶手段に記憶済である場合、上記入力されたアドレスが上記記憶手段に記憶済であることを通知する通知手段と
を具えることを特徴とするアドレス記憶装置。
【請求項２】
上記検出手段は、
上記アドレスが入力されたタイミングで、当該入力されたアドレスが上記記憶手段に記憶済であるか否かを検出する
ことを特徴とする請求項１に記載のアドレス記憶装置。
【請求項３】
上記検出手段は、
上記アドレスが入力された後、上記記憶手段に対する当該入力されたアドレスの記憶要求がなされたタイミングで、当該入力されたアドレスが上記記憶手段に記憶済であるか否かを検出する
ことを特徴とする請求項１に記載のアドレス記憶装置。
【請求項４】
上記アドレスが入力されると、当該入力されたアドレスが示す上記格納場所からページ情報を受信する受信手段を具え、
上記検出手段は、
上記受信手段により受信した上記ページ情報内に含まれるアドレスが上記記憶手段に記憶済であるか否かを検出する
ことを特徴とする請求項１に記載のアドレス記憶装置。
【請求項５】
上記通知手段は、
上記検出手段による検出結果に応じて、上記入力されたアドレスが上記記憶手段に記憶済である場合、上記入力されたアドレスが上記記憶手段に記憶済であることを示すメッセージを出力する
ことを特徴とする請求項１に記載のアドレス記憶装置。
【請求項６】
上記アドレスを分類するためのグループを設定するグループ設定手段を具え、
上記記憶手段は、
上記アドレスを上記グループの一つに関連付けて記憶する
ことを特徴とする請求項１に記載のアドレス記憶装置。
【請求項７】
ネットワークにおけるページ情報の格納場所を示すアドレスが入力されると、アドレスを記憶しておくための記憶手段に当該入力されたアドレスが記憶済であるか否かを検出する検出ステップと、
上記検出ステップによる検出結果に応じて、上記入力されたアドレスが上記記憶手段に記憶済である場合、上記入力されたアドレスが上記記憶手段に記憶済であることを通知する通知ステップと
を具えることを特徴とするアドレス記憶方法。
【請求項８】
上記検出ステップでは、
上記アドレスが入力されたタイミングで、当該入力されたアドレスが上記記憶手段に記憶済であるか否かを検出する
ことを特徴とする請求項７に記載のアドレス記憶方法。
【請求項９】
上記検出ステップでは、
上記アドレスが入力された後、上記記憶手段に対する当該入力されたアドレスの記憶要求がなされたタイミングで、当該入力されたアドレスが上記記憶手段に記憶済であるか否かを検出する
ことを特徴とする請求項７に記載のアドレス記憶方法。
【請求項１０】
上記アドレスが入力されると、当該入力されたアドレスが示す上記格納場所からページ情報を受信する受信ステップを具え、
上記検出ステップでは、
上記受信ステップで受信した上記ページ情報内に含まれるアドレスが上記記憶手段に記憶済であるか否かを検出する
ことを特徴とする請求項７に記載のアドレス記憶方法。
【請求項１１】
上記通知ステップでは、
上記検出ステップによる検出結果に応じて、上記入力されたアドレスが上記記憶手段に記憶済である場合、上記入力されたアドレスが上記記憶手段に記憶済であることを示すメッセージを出力する
ことを特徴とする請求項７に記載のアドレス記憶方法。
【請求項１２】
上記アドレスを分類するためのグループを設定し、当該アドレスを当該グループの一つに関連付けて記憶手段に記憶するグループ設定ステップを
具えることを特徴とする請求項７に記載のアドレス記憶方法。
【請求項１３】
情報処理装置に対して、
ネットワークにおけるページ情報の格納場所を示すアドレスが入力されると、アドレスを記憶しておくための記憶手段に当該入力されたアドレスが記憶済であるか否かを検出する検出ステップと、
上記検出ステップによる検出結果に応じて、上記入力されたアドレスが上記記憶手段に記憶済である場合、上記入力されたアドレスが上記記憶手段に記憶済であることを通知する通知ステップと
を実行させることを特徴とするアドレス記憶プログラム。
【発明の詳細な説明】
【技術分野】
【０００１】
本発明はアドレス記憶装置に関し、例えばＷｅｂページのアドレスを記憶する際に適用して好適なものである。
【背景技術】
【０００２】
従来、Ｗｅｂブラウザ機能を有するアドレス記憶装置としてのクライアント端末においては、Ｗｅｂページのアドレス（以下、これをＵＲＬ（Uniform Resource Locator）と呼ぶ）が入力されると、当該ＵＲＬをもとに当該Ｗｅｂページを提供しているＷｅｂサーバにアクセスし、当該Ｗｅｂサーバから当該Ｗｅｂページのページ情報（以下、これをページデータとも呼ぶ）をダウンロードすることにより、当該Ｗｅｂページを所定の表示部に表示するようになされている。
【０００３】
また、かかるクライアント端末の多くは、ＷｅｂページのＵＲＬを所定の記憶部にブックマークとして記憶し、それ以降、当該ＵＲＬを直接入力させることなく、所定の表示部に表示したブックマークをマウス等で選択させるだけでＷｅｂページにアクセスできるようにしたブックマーク機能を有しており、さらに当該ブックマークを例えば「ニュース」や「スポーツ」といったグループ単位に分類して記憶することにより、複数記憶したブックマークの中からユーザが所望のブックマークを見付け出し易くするようになされたものがある（例えば特許文献１参照）。
【特許文献１】特開平１１−７３４３２号公報
【発明の開示】
【発明が解決しようとする課題】
【０００４】
ところで、かかるクライアント端末において、ユーザに指定されたＵＲＬがブックマークとして既に登録済みであるか否かをユーザに認識させるためには、当該ブックマークの一覧を表示するブックマーク一覧画面を所定の表示部に表示する必要があった。
【０００５】
そしてユーザは、このブックマーク一覧画面の中に、所望のＵＲＬに対応するブックマークが存在するか否かを自分で確認することにより、当該所望のＵＲＬがブックマークとして既に登録済みであるか否かを認識していた。
【０００６】
しかしながら、このような確認作業はユーザにとって面倒であるため、当該確認作業を行わずに、所望のＵＲＬをブックマークとしてクライアント端末に記憶させることがある。このとき、所望のＵＲＬが既にブックマークとして登録済みであったとすれば、ユーザは、そのことを知らずに、当該所望のＵＲＬを再度別のブックマークとしてクライアント端末に記憶させることになる。この結果、かかるクライアント端末においては、ユーザの意図しないＵＲＬの二重登録が起こり得るという問題があった。
【０００７】
本発明は以上の点を考慮してなされたもので、容易にかつ確実にユーザの意図しないアドレスの二重登録を防止し得るアドレス記憶装置を提案しようとするものである。
【課題を解決するための手段】
【０００８】
かかる課題を解決するため本発明のアドレス記憶装置においては、ネットワークにおけるページ情報の格納場所を示すアドレスを記憶しておくための記憶手段と、アドレスが入力されると、記憶手段に当該入力されたアドレスが記憶済であるか否かを検出する検出手段と、検出手段による検出結果に応じて、入力されたアドレスが記憶手段に記憶済である場合、入力されたアドレスが記憶手段に記憶済であることを通知する通知手段とを設けるようにした。
【０００９】
また本発明のアドレス記憶方法においては、ネットワークにおけるページ情報の格納場所を示すアドレスが入力されると、アドレスを記憶しておくための記憶手段に当該入力されたアドレスが記憶済であるか否かを検出する検出ステップと、検出ステップによる検出結果に応じて、入力されたアドレスが記憶手段に記憶済である場合、入力されたアドレスが記憶手段に記憶済であることを通知する通知ステップとを設けるようにした。
【００１０】
さらに本発明のアドレス記憶プログラムにおいては、情報処理装置に対して、ネットワークにおけるページ情報の格納場所を示すアドレスが入力されると、アドレスを記憶しておくための記憶手段に当該入力されたアドレスが記憶済であるか否かを検出する検出ステップと、検出ステップによる検出結果に応じて、入力されたアドレスが記憶手段に記憶済である場合、入力されたアドレスが記憶手段に記憶済であることを通知する通知ステップとを実行させるようにした。
【００１１】
このように、入力されたアドレスが既に記憶済である場合、このことをユーザに通知するようにしたことにより、当該入力されたアドレスが既に記憶済であることを煩雑な確認作業を行わせることなくユーザに認識させることができる。
【発明の効果】
【００１２】
本発明によれば、入力されたアドレスが既に記憶済みである場合、このことをユーザに通知するようにしたことにより、当該入力されたアドレスが既に記憶済みであることを煩雑な確認作業を行わせることなくユーザに認識させることができ、かくしてユーザの意図しないアドレスの二重登録を容易にかつ確実に防止し得るアドレス記憶装置、アドレス記憶方法及びアドレス記憶プログラムを実現できる。
【発明を実施するための最良の形態】
【００１３】
以下図面について、本発明の一実施の形態を詳述する。
【００１４】
（１）ネットワークシステムの全体構成
図１において、１は全体としてネットワークシステムを示し、クライアント端末２がネットワーク３を介して各種Ｗｅｂページを提供するＷｅｂサーバ５Ａ〜５Ｎと接続されている。
【００１５】
クライアント端末２は、Ｗｅｂページを閲覧するためのＷｅｂブラウザ機能を有しており、ＷｅｂページのＵＲＬが入力されると、当該ＵＲＬをもとに当該Ｗｅｂページを提供するＷｅｂサーバ５Ａ〜５Ｎにアクセスしてページデータをダウンロードし、当該ページデータをＷｅｂページに変換して所定の表示部に表示するようになされている。
【００１６】
またクライアント端末２は、ＷｅｂページのＵＲＬを記憶するブックマーク機能を有しており、当該ＵＲＬの記憶命令が入力されると、当該ＵＲＬをブックマークとして記憶するようになされている。
【００１７】
（１−１）Ｗｅｂサーバの構成
次にＷｅｂサーバ５Ａの構成について説明する。なお、Ｗｅｂサーバ５Ｂ〜５ＮについてはＷｅｂサーバ５Ａと全て同一の構成であるため、構成についての説明を省略する。
【００１８】
図２に示すようにＷｅｂサーバ５Ａは、ＣＰＵ（Central Processing Unit）からなる制御部１０が、ＲＯＭ（Read Only Memory）１１又はハードディスクドライブ１２に記憶されている基本プログラムや通信プログラム等の各種プログラムをバス１３を介してＲＡＭ（Random Access Memory）１４に適宜展開し、これを実行することにより、クライアント端末２とページデータ等の各種データをやり取りするための通信処理や、その他各種処理を実行するようになされている。また、このハードディスクドライブ１２には、Ｗｅｂページのページデータが予め記憶されている。
【００１９】
Ｗｅｂサーバ５Ａの制御部１０は、クライアント端末２から送信されたＷｅｂページのページデータを要求する要求情報をネットワーク３及びデータ通信処理部１５を順次介して受信すると、当該要求情報に基づきハードディスクドライブ１２からページデータを読み出し、これをクライアント端末２に対してデータ通信処理部１５及びネットワーク３を順次介して送信するようになされている。
【００２０】
（１−２）クライアント端末の構成
図３に示すようにクライアント端末２は、ＣＰＵ２０が、ＲＯＭ２２やハードディスクドライブ２４に記憶されている基本プログラムや、ブックマーク自動通知プログラム等の各種プログラムを、バス２１を介してＲＡＭ２３に適宜読み出してこれを実行することにより、全体の制御や後述するブックマーク自動通知処理等の各種処理を実行するようになされている。
【００２１】
また、リモートコントローラ２５から赤外線信号として送信される各種命令を赤外線受信部２６で受信すると、当該各種命令がバス２１を介してＣＰＵ２１に入力される。そしてＣＰＵ２０は、この入力された各種命令に応じた処理を実行するようにもなされている。
【００２２】
ディスプレイ２７は、例えば液晶ディスプレイ等の表示デバイスが本体部の筐体表面に直接取り付けられている場合や、外付けの表示デバイスであってもよく、表示処理部２８を介して入力される各種情報を表示するようになされている。また本実施の形態の場合、このディスプレイ２７は、通常のテレビジョンやパーソナルコンピュータ用のディスプレイよりも小さいサイズ（５インチ程度）となっている。
【００２３】
メディアドライブ２９は、ＣＤやメモリスティック（登録商標）等のコンテンツが記録されたメディアを再生するドライブであって、再生結果をオーディオデータ処理部３０を介してディジタルアナログ変換処理した後に２ｃｈのスピーカ３１から出力するようになされている。
【００２４】
なおＣＰＵ２０は、メディアドライブ２９を介して再生したデータが楽曲のオーディオコンテンツである場合、当該データをオーディオデータファイルとしてハードディスクドライブ２４に記憶することも可能である。
【００２５】
さらにＣＰＵ２０は、メディアドライブ２９によってメモリスティック等に記憶された複数枚の静止画を読み出し、これらを表示処理部２８を介してディスプレイ２７にスライドショーとして表示することもできる。
【００２６】
またＣＰＵ２０は、ハードディスクドライブ２４に記憶した複数の楽曲をランダムアクセスで読み出し、あたかもジュークボックスのようにユーザ所望の順番で再生して出力することも可能である。
【００２７】
チューナ部３２は、例えばＡＭ、ＦＭラジオチューナであって、ＣＰＵ２０の制御に基づいてアンテナ３３で受信した放送信号を復調し、その結果を放送音声としてオーディオデータ処理部３０を介してスピーカ３１から出力する。
【００２８】
通信処理部３４は、ＣＰＵ２０の制御に基づいて送信データ（例えばページデータを要求するための要求情報）のエンコード処理を行い、当該エンコード処理した送信データをネットワークインターフェース３５を介してネットワーク３経由でＷｅｂサーバ５Ａ〜５Ｎへ送信したり、当該ネットワークインターフェース３５を介してＷｅｂサーバ５Ａ〜５Ｎから受信した受信データ（例えばページデータ）のデコード処理を行い、これをＣＰＵ２０へ転送するようになされている。
【００２９】
またＣＰＵ２０は、リモートコントローラ２５を介してＷｅｂブラウザの起動命令が入力されると、当該起動命令に応じてＲＯＭ２２からＷｅｂブラウザプログラムを読み出し、これを実行することにより、図４に示すＷｅｂブラウザ画面４０をディスプレイ２７に表示する。
【００３０】
このＷｅｂブラウザ画面４０は、ページデータに基づいてＷｅｂページを表示するページ表示領域４１、当該ＷｅｂページのＵＲＬを入力及び表示するためのＵＲＬ表示領域４２、Ｗｅｂページの閲覧に便利な各種コマンドがアイコンとして表示されるアイコン表示領域４３から構成される。
【００３１】
アイコン表示領域４３には、前ページに戻るための戻アイコン４３Ａ、次ページに進むための進アイコン４３Ｂ、現在表示されているＷｅｂページを最新の情報に更新するための更新アイコン４３Ｃ、Ｗｅｂページの読み込みを中止するための中止アイコン４３Ｄ、ブックマークの登録や登録済のブックマークを選択するためのブックマークアイコン４３Ｅが表示される。
【００３２】
ここでＣＰＵ２０は、リモートコントローラ２５を介してブックマークアイコン４３Ｅが押下されたことを認識すると、図５に示すようにＷｅｂブラウザ画面４０上のブックマークアイコン４３Ｅの近傍にブックマークウインドウ５０を表示する。
【００３３】
このブックマークウインドウ５０には、選択項目として項目「ブックマーク登録」、項目「＞スポーツフォルダ」、項目「＞電化製品フォルダ」、項目「＞ＮＥＷＳフォルダ」が表示され、ユーザがリモートコントローラ２５の方向キー（図示せず）を介して当該ブックマークウインドウ５０上の選択カーソルＳＣを操作することにより、これらの項目の中から所望の項目を選択し得るようになされている。
【００３４】
ここで項目「ブックマーク登録」は、ページ表示領域４１に表示されているＷｅｂページのＵＲＬ（すなわちＵＲＬ表示領域４２に表示されているＵＲＬ）や、当該Ｗｅｂページのページデータに含まれるリンク先のＵＲＬ等をブックマークとして登録するための選択項目である。
【００３５】
ＣＰＵ２０は、この項目「ブックマーク登録」が選択カーソルＳＣによって選択されたことを認識すると、例えばページ表示領域４１に表示しているＷｅｂページのＵＲＬをブックマークとしてハードディスクドライブ２４に予め作成してあるブックマークデータベースに格納する。
【００３６】
ここで、このブックマークデータベースの構造を視覚的に表した例を図６に示す。図６に示すように、ブックマークデータベースは、ツリー状の階層構造でなり、最上層のフォルダ「ルート」６０の下層にフォルダ「スポーツ」６１Ａ、フォルダ「電化製品」６１Ｂ及びフォルダ「ＮＥＷＳ」６１Ｃが生成されている。
【００３７】
このフォルダ「スポーツ」６１Ａの下層にはブックマーク「プロ野球情報」６２Ａ、ブックマーク「ワールドスポーツ」６２Ｂ、ブックマーク「フットサルコート」６２Ｃが格納され、またフォルダ「電化製品」６１Ｂの下層にはブックマーク「お買得品情報」６２Ｄ及びブックマーク「通販ページ」６２Ｅが格納され、そしてフォルダ「ＮＥＷＳ」６１Ｃの下層にはブックマーク「今月の出来事」６２Ｆが格納されている。
【００３８】
このようにブックマークデータベースには、ブックマークが当該ブックマークの登録場所を表すフォルダに関連付けられて格納されており、さらにそれぞれのブックマークは、ブックマークの名称（例えば「ワールドスポーツ」）と実際のＵＲＬ（例えば「http://wwm.wsportsj.com」）とが対応付けられて登録されている。因みに、このフォルダはユーザが任意に登録することができるものである。
【００３９】
ここでブックマークウインドウ５０（図５）に表示される項目「ブックマーク登録」以外の項目「＞スポーツフォルダ」、項目「＞電化製品フォルダ」及び項目「＞ＮＥＷＳフォルダ」は、それぞれ図６におけるフォルダ「ルート」６０直下のフォルダ「スポーツ」６１Ａ、フォルダ「電化製品」６１Ｂ及びフォルダ「ＮＥＷＳ」６１Ｃに対応している。
【００４０】
そしてＣＰＵ２０は、例えば項目「＞スポーツフォルダ」が選択カーソルＳＣによって選択されたことを認識すると、項目「＞スポーツフォルダ」に対応するフォルダ「スポーツ」６１Ａの下層にブックマーク「プロ野球情報」６２Ａ、ブックマーク「ワールドスポーツ」６２Ｂ及びブックマーク「フットサルコート」６２Ｃが登録されていることを認識し、図７に示すように、それぞれに対応する項目「プロ野球情報」、項目「ワールドスポーツ」、項目「フットサルコート」が表示される下層ウインドウ７０をブックマークウインドウ５０の近傍に表示する。
【００４１】
この下層ウインドウ７０においても、ユーザがリモートコントローラ２５の方向キー（図示せず）を介して当該下層ウインドウ７０上の選択カーソルＳＣ１を操作することにより、所望の項目を選択し得るようになされている。
【００４２】
そしてＣＰＵ２０は、例えば下層ウインドウ７０の項目「ワールドスポーツ」が選択カーソルＳＣ１によって選択されたことを認識すると、当該項目「ワールドスポーツ」に対応するブックマーク「ワールドスポーツ」６２Ｂをブックマークデータベースから読み出し、当該ブックマーク「ワールドスポーツ」６２Ｂとして記憶されたＵＲＬ「http://wwm.wsportsj.com」をもとに、例えばＷｅｂサーバ５Ａにアクセスしてページデータをダウンロードし、図８に示すように当該ページデータをＷｅｂページに変換してページ表示領域４１に表示するようになされている。
【００４３】
このようにクライアント端末２は、ＵＲＬをブックマークとしてブックマークデータベースに格納して登録することができ、登録した以降、ＵＲＬを直接入力させることなく、ディスプレイ２７に表示したブックマークを選択させるだけで、当該ブックマークに対応するＷｅｂページを閲覧させ得るようになされている。
【００４４】
（２）ブックマーク自動通知処理
本実施の形態におけるクライアント端末２は、ユーザに指定されたＵＲＬが既にブックマークとして登録済である場合、このことを自動的にユーザに通知するブックマーク自動通知機能を有しており、以下このブックマーク自動通知機能におけるブックマーク自動通知処理について説明する。
【００４５】
クライアント端末２のＣＰＵ２０は、Ｗｅｂブラウザの起動命令が入力されたことを認識すると、Ｗｅｂブラウザ画面４０をディスプレイ２７に表示すると共に、ＲＯＭ２２から読み出したブックマーク自動通知プログラムに従って図９に示すブックマーク自動通知処理手順ＲＴ１を実行する。
【００４６】
ＣＰＵ２０は、ブックマーク自動通知処理手順ＲＴ１を実行すると、ステップＳＰ１においてブックマークアイコン４３Ｅから選択されたブックマーク、或いはＵＲＬ表示領域４２に直接入力されたＵＲＬ等をもとに、例えばＷｅｂサーバ５Ａにアクセスしてページデータをダウンロードし、当該ページデータをＷｅｂページに変換してページ表示領域４１に表示して（図８）次のステップＳＰ２に移る。
【００４７】
ステップＳＰ２においてＣＰＵ２０は、このときページ表示領域４１に表示しているＷｅｂページ（以下、このページ表示領域４１に表示しているＷｅｂページを閲覧中ページと呼ぶ）のＵＲＬをブックマークデータベース内で検索し、次のステップＳＰ３に移る。
【００４８】
ステップＳＰ３においてＣＰＵ２０は、ステップＳＰ２における検索結果から、閲覧中ページのＵＲＬ（すなわちＵＲＬ表示領域４２に表示されているＵＲＬ）が既にブックマークとしてブックマークデータベースに登録されているか否かを判断する。
【００４９】
このステップＳＰ３において否定結果を得ると、このことは閲覧中ページのＵＲＬがブックマークデータベース内で検索されなかったことにより、当該ＵＲＬがブックマークとして登録されていないことを表しており、このときＣＰＵ２０は、ステップＳＰ５に移る。
【００５０】
これに対してステップＳＰ３において肯定結果を得ると、このことは閲覧中ページのＵＲＬがブックマークデータベース内で検索されたことにより、当該ＵＲＬがブックマークとして既に登録済であることを表しており、このときＣＰＵ２０は、ステップＳＰ４に移る。
【００５１】
ステップＳＰ４においてＣＰＵ２０は、閲覧中ページのＵＲＬが既にブックマークとして登録済であることをユーザに通知する。すなわちＣＰＵ２０は、図１０に示すように、ブックマークアイコン４３Ｅを点滅表示させることにより、閲覧中ページのＵＲＬ（例えば「http://wwm.wsportsuj.com」）が既にブックマークとして登録済であることをユーザに通知するようになされている。これによりＣＰＵ２０は、閲覧中ページのＵＲＬ「http://wwm.wsportsj.com」が既にブックマークとして登録済であることをユーザに認識させることができる。
【００５２】
またこのときＣＰＵ２０は、ユーザによりリモートコントローラ２５を介して点滅表示中のブックマークアイコン４３Ｅが押下されたことを認識すると、図１１に示すように、ブックマークウインドウ５０及び下層ウインドウ７０を表示し、さらにブックマークウインドウ５０の項目「＞スポーツフォルダ」及び下層ウインドウ７０の項目「ワールドスポーツ」の表示をハイライト表示にする。
【００５３】
これによりＣＰＵ２０は、閲覧中ページのＵＲＬ「http://wwm.wsportsj.com」がフォルダ「スポーツ」の下層のブックマーク「ワールドスポーツ」に登録済であることをユーザに認識させることができる。すなわちＣＰＵ２０は、閲覧中ページのＵＲＬがどのフォルダのどのブックマークに登録されているのかをユーザに認識させることができる。
【００５４】
このようにしてＣＰＵ２０は、ステップＳＰ４において閲覧中ページのＵＲＬが既にブックマークとして登録済であることをユーザに通知した後、次のステップＳＰ５に移る。
【００５５】
ステップＳＰ５においてＣＰＵ２０は、ＵＲＬをブックマークとして登録する命令がなされたか否かを判断する。すなわち、ブックマークウインドウ５０の項目「ブックマーク登録」が選択カーソルＳＣによって選択されたか否かを判断する。
【００５６】
ここでクライアント端末２においては、閲覧中ページのＵＲＬ（すなわちＵＲＬ表示領域４２に表示されているＵＲＬ）、または閲覧中ページのテキストに含まれるリンク先としてのＵＲＬ（以下、これをリンク先ＵＲＬと呼ぶ）をブックマークとして登録することができるようになされている。すなわち図１２に示すように、閲覧中ページ上に表示され、リモートコントローラ２５を介して操作し得るリンク先選択カーソルＬＣによってリンク先ＵＲＬが指定されている場合には、当該リンク先ＵＲＬをブックマークとして登録するようになされており、一方、選択されていない場合には、ＵＲＬ表示領域４２に表示されているＵＲＬをブックマークとして登録するようになされている。
【００５７】
このステップＳＰ５において否定結果を得ると、このことは、ユーザが閲覧中ページのＵＲＬや、リンク先ＵＲＬをブックマーク登録しようとしていないことを表しており、このときＣＰＵ２０は、再びステップＳＰ１に戻り、上述のステップＳＰ１からステップＳＰ５までの処理をブックマークの登録命令がなされるまで繰り返す。
【００５８】
これに対してステップＳＰ５において肯定結果を得ると、このことは、ユーザが閲覧中ページのＵＲＬ、またはリンク先ＵＲＬをブックマーク登録しようとしていることを表しており、このときＣＰＵ２０は、次のステップＳＰ６に移る。
【００５９】
ステップＳＰ６においてＣＰＵ２０は、ユーザに指定された閲覧中ページのＵＲＬ、またはリンク先ＵＲＬをブックマークデータベース内で検索し、次のステップＳＰ７に移る。
【００６０】
ステップＳＰ７においてＣＰＵ２０は、ステップＳＰ６における検索結果から、ユーザに指定されたＵＲＬがブックマークデータベースにブックマークとして既に登録済であるか否かを判断する。
【００６１】
このステップＳＰ７において否定結果を得ると、このことはユーザに指定されたＵＲＬがブックマークデータベース内で検索されなかったことにより、当該ＵＲＬがブックマークとして登録されていないことを表しており、このときＣＰＵ２０は、ステップＳＰ９に移る。
【００６２】
これに対してステップＳＰ７において肯定結果を得ると、このことはユーザに指定されたＵＲＬがブックマークデータベース内で検索されたことにより、当該ＵＲＬがブックマークとして既に登録済であることを表しており、このときＣＰＵ２０は、ステップＳＰ８に移る。
【００６３】
ステップＳＰ８においてＣＰＵ２０は、図１３に示すように、指定された登録済のＵＲＬをさらに別のブックマークとして追加登録するか否かを確認するための登録確認ウインドウ８０をＷｅｂブラウザ画面４０上に表示し、次のステップＳＰ９に移る。
【００６４】
この登録確認ウインドウ８０には、例えばユーザに指定されたＵＲＬ「http://wwm.wsportsj.com」がフォルダ「スポーツ」の下層のブックマーク「ワールドスポーツ」として既に登録済である旨を伝えるメッセージが表示されると共に、当該ＵＲＬ「http://wwm.wsportsj.com」をさらに別のブックマークとして追加登録するための登録ボタン８１、及び追加登録を中止するための中止ボタン８２が設けられており、いずれかのボタンを押下することにより既に登録済の当該ＵＲＬ「http://wwm.wsportsj.com」をさらに別のブックマークとして追加登録するか否かをユーザが選択し得るようになされている。
【００６５】
ステップＳＰ９においてＣＰＵ２０は、登録ボタン８１が押下されたか否かを判断する。このステップＳＰ９において否定結果を得ると、このことは中止ボタン８２が押下されたことにより、ブックマーク登録済のＵＲＬ「http://wwm.wsportsj.com」を別のブックマークとして追加登録しないことをユーザが選択したことを表しており、このときＣＰＵ２０は、再びステップＳＰ１に戻る。
【００６６】
これに対してステップＳＰ９において肯定結果を得ると、このことは登録ボタン８１が押下されたことにより、ブックマーク登録済のＵＲＬ「http://wwm.wsportsj.com」を別のブックマークとして追加登録することをユーザが選択したことを表しており、このときＣＰＵ２０は、次のステップＳＰ１０に移る。
【００６７】
ステップＳＰ１０においてＣＰＵ２０は、指定されたＵＲＬ「http://wwm.wsportsj.com」の登録場所となるフォルダをユーザに選択させるための所定ウインドウ（図示せず）を表示し、当該所定ウインドウ上で選択されたフォルダの下層に当該ＵＲＬ「http://wwm.wsportsj.com」をブックマークとして登録する。そしてＣＰＵ２０は、再びステップＳＰ１に戻り、上述の処理を繰り返し行う。
【００６８】
このようにＣＰＵ２０は、ＵＲＬのブックマーク登録命令を受けた際に、当該ＵＲＬが既にブックマークとして登録済である場合、このことをユーザに通知するようにしたことにより、ユーザが誤って登録済のＵＲＬと同じＵＲＬを再度別のブックマークとして登録してしまうこと（すなわちユーザの意図しないＵＲＬの二重登録）を防止することができる。
【００６９】
（３）動作及び効果
以上の構成においてクライアント端末２は、Ｗｅｂページをページ表示領域４０に表示する毎に、閲覧中ページのＵＲＬをブックマークデータベース内で検索し、当該検索結果から当該ＵＲＬが既にブックマークとして登録済であるか否かを判断する。
【００７０】
そしてクライアント端末２は、閲覧中ページのＵＲＬが既にブックマークとして登録済であると判断した場合、例えばディスプレイ２７上に表示されるブックマークアイコン４３Ｅを点滅表示させることにより、当該ＵＲＬが登録済であることをユーザに通知する。
【００７１】
これによりクライアント端末２は、閲覧中ページのＵＲＬがブックマークとして登録済であるか否かを確認するための確認作業をユーザにわざわざ行わせることなく、閲覧中ページのＵＲＬが既にブックマークとして登録済であるか否かをユーザに認識させることができる。
【００７２】
またクライアント端末２は、ユーザが指定したＵＲＬをブックマークとして登録する命令がなされた際にも、当該指定されたＵＲＬをブックマークデータベース内で検索し、当該検索結果から当該ＵＲＬが既にブックマークとして登録済であるか否かを判断する。
【００７３】
そしてクライアント端末２は、ユーザに指定されたＵＲＬが既にブックマークとして登録済であると判断した場合、そのことをディスプレイ２７上にメッセージとして表示することによりユーザに通知する。
【００７４】
これによりクライアント端末２は、ユーザが指定したＵＲＬをブックマークとして登録する際に、当該ＵＲＬがブックマークとして登録済であるか否かをユーザに認識させることができるので、ユーザの意図しないＵＲＬの二重登録を防止することができる。
【００７５】
以上の構成によれば、クライアント端末２は、閲覧中ページのＵＲＬやリンク先ＵＲＬが既にブックマークとして登録済である場合、このことをユーザに通知するようにしたことにより、当該閲覧中ページのＵＲＬやリンク先ＵＲＬが既にブックマークとして登録済であるか否かを煩雑な確認作業を行わせることなくユーザに認識させることができ、かくしてユーザの意図しないＵＲＬの二重登録を容易にかつ確実に防止することができる。
【００７６】
（４）他の実施の形態
なお上述の実施の形態においては、閲覧中ページのＵＲＬが既にブックマーク登録されていた場合、ブックマークアイコン４３Ｅを点滅表示させることにより、当該閲覧中ページのＵＲＬが既にブックマーク登録済であることをユーザに通知するようにした場合について述べたが、本発明はこれに限らず、例えば「閲覧中ページのＵＲＬは、既にブックマーク登録済です。」というような音声をスピーカ３１から出力することにより、当該閲覧中ページのＵＲＬが既にブックマーク登録済であることをユーザに通知するようにしてもよいし、図１４に示すように、Ｗｅｂページ表示領域４１の下側の表示領域に「このページのＵＲＬは、スポーツフォルダ／ワールドスポーツに登録されています。」というようなメッセージを表示することにより通知するようにしてもよいし、さらに閲覧中ページのＵＲＬがブックマーク登録されていない場合にも、そのことを示すメッセージを表示するようにしてもよい。
【００７７】
また上述の実施の形態においては、登録確認画面８０上に、指定されたＵＲＬがどのフォルダのどのブックマークに登録済であるかという当該ＵＲＬの登録場所、及び当該ＵＲＬをさらに別のブックマークとして追加登録するための登録ボタン８１、及び追加登録を中止するための中止ボタン８２が設けられている場合について述べたが、本発明はこれに限らず、例えば図１５に示すように、登録場所、登録ボタン８１及び中止ボタン８２に加えて、閲覧中ページのテキストに含まれるリンク先ＵＲＬを表示し、当該リンク先ＵＲＬのブックマーク登録を推薦するようにしてもよい。
【００７８】
さらに上述の実施の形態においては、ブックマーク自動通知処理において、登録しようとしているＵＲＬと全く同じＵＲＬが既にブックマーク登録されている場合に、当該ＵＲＬが既にブックマーク登録済であることをユーザに通知するようにした場合について述べたが、本発明はこれに限らず、全く同じＵＲＬでなくても、例えばＵＲＬ「http://wwm.wsportsj.com」とＵＲＬ「http://wwm.wsportsj.com/football」とのように、ＵＲＬ「http://wwm.wsportsj.com/football」がＵＲＬ「http://wwm.wsportsj.com」の下層であるために、その一部が重複している場合にも既に登録済であると判断して、通知するようにしてもよい。
【００７９】
さらに上述の実施の形態においては、クライアント端末２のＣＰＵ２０がＲＯＭ２２に予め格納されたアドレス記憶プログラムとしてのブックマーク自動通知プログラムをＲＡＭ２３上に展開し、当該ブックマーク自動通知プログラムに従って上述のブックマーク自動通知処理を実行するようにした場合について述べたが、本発明はこれに限らず、ブックマーク自動通知プログラムが格納されたプログラム格納媒体をクライアント端末２にインストールすることにより当該ブックマーク自動通知処理を実行するようにしてもよい。
【００８０】
さらに上述の実施の形態においては、アドレス記憶装置及び情報処理装置としてのクライアント端末２を、記憶手段としてのハードディスクドライブ２４や、検出手段としてのＣＰＵ２０や、受信手段としての通信処理部３４及びネットワークインターフェース３５や、通知手段としてのＣＰＵ２０、ディスプレイ２７及びスピーカ３１や、ＵＲＬを分類するためのグループとしてのフォルダを設定するグループ設定手段としてのＣＰＵ２０及びリモートコントローラ２５の各手段によって構成するようにした場合について述べたが、本発明はこれに限らず、この他種々の回路でこれら各手段を構成するようにしてもよい。
【産業上の利用可能性】
【００８１】
本発明は、例えばブックマーク機能を有するクライアント端末に利用することができる。
【図面の簡単な説明】
【００８２】
【図１】本発明によるネットワークシステムの全体構成を示す略線図である。
【図２】Ｗｅｂサーバの回路構成を示すブロック図である。
【図３】クライアント端末の回路構成を示すブロック図である。
【図４】Ｗｅｂブラウザ画面（１）を示す略線図である。
【図５】Ｗｅｂブラウザ画面（２）を示す略線図である。
【図６】ブックマークデータベースの構造を視覚的に表した例を示す略線図である。
【図７】Ｗｅｂブラウザ画面（３）を示す略線図である。
【図８】Ｗｅｂブラウザ画面（４）を示す略線図である。
【図９】ブックマーク自動通知処理手順を示すフローチャートである。
【図１０】Ｗｅｂブラウザ画面（５）を示す略線図である。
【図１１】Ｗｅｂブラウザ画面（６）を示す略線図である。
【図１２】Ｗｅｂブラウザ画面（７）を示す略線図である。
【図１３】Ｗｅｂブラウザ画面（８）を示す略線図である。
【図１４】Ｗｅｂブラウザ画面（９）を示す略線図である。
【図１５】Ｗｅｂブラウザ画面（１０）を示す略線図である。
【符号の説明】
【００８３】
１……ネットワークシステム、２……クライアント端末、３……ネットワーク、５Ａ〜５Ｎ……Ｗｅｂサーバ、２０……ＣＰＵ、２２……ＲＯＭ、２３……ＲＡＭ、２４……ハードディスクドライブ、２５……リモートコントローラ、２６……赤外線受信部、２７……ディスプレイ、２８……表示処理部、３１……スピーカ、３４……通信処理部、３５……ネットワークインターフェース、４０……Ｗｅｂブラウザ画面。
【図１】
2005173978.tif 000003
【図２】
2005173978.tif 000004
【図３】
2005173978.tif 000005
【図４】
2005173978.tif 000006
【図５】
2005173978.tif 000007
【図６】
2005173978.tif 000008
【図７】
2005173978.tif 000009
【図８】
2005173978.tif 000010
【図９】
2005173978.tif 000011
【図１０】
2005173978.tif 000012
【図１１】
2005173978.tif 000013
【図１２】
2005173978.tif 000014
【図１３】
2005173978.tif 000015
【図１４】
2005173978.tif 000016
【図１５】
2005173978.tif 000017